(57)【要約】【課題】被帯電体を帯電させる帯電部材に供給される帯電電流を容易に検出する。【解決手段】高圧給電部８０は、直流電流Ｉｄｃ及び交流電流Ｉａｃを重畳した帯電電流を帯電部材２４に供給する。蓄電部９０は、電流検出部８２が出力する帯電電流を積分している。電流漏洩部９２は、蓄電部９０の端子電圧の１周期の振幅範囲の変動が所定値以下になるように電流を漏洩させる。直流電流検出部９４は、電流検出部８２が出力する帯電電流に含まれる直流電流を検出する。標本化部９６は、蓄電部９０の端子電圧と直流電流検出部９４が出力する直流電流とを受け入れ、Ａ／Ｄ変換した結果を演算部９８に対して出力する。交流電流調整部１００は、演算部９８が算出する帯電電荷量及び放電電荷量の算出結果に応じて、交流電源８６が出力する交流電流Ｉａｃの振幅を制御する。【選択図】図３
2008209834.tif 000002
【特許請求の範囲】
【請求項１】
被帯電体に接触又は近接して被帯電体を帯電させる帯電部材に対して供給される直流電圧と交流電流又は交流電圧とを重畳して流れる電流を蓄積する蓄電部と、この蓄電部の両端間で電流を漏洩させる電流漏洩部と、前記蓄電部が蓄積した電流に基づいて、前記電流漏洩部が漏洩させた電流量を演算により復元する復元部とを有する帯電状態検知装置。
【請求項２】
被帯電体に接触又は近接して被帯電体を帯電させる帯電部材に対して供給される直流電圧と交流電流又は交流電圧とを重畳して流れる電流を蓄積する蓄電部と、この蓄電部の両端間で電流を漏洩させる電流漏洩部と、帯電部材に対して供給される直流電流を検出する直流電流検出部と、この直流電流検出部による検出結果及び前記蓄電部による蓄積結果を標本化する標本化部と、この標本化部による標本値に応じて帯電部材に供給される交流電流を調整する交流電流調整手段とを有し、前記電流漏洩部は、前記直流電流検出部による検出結果及び前記蓄電部による蓄積結果に対応する値が前記標本化部の標本化可能範囲内で変化するように電流を漏洩させる帯電制御装置。
【請求項３】
前記蓄電部が蓄積した電流に基づいて、前記電流漏洩部が漏洩させた電流量を演算により復元する復元部をさらに有し、前記交流電流調整手段は、前記復元部が復元した電流量に応じて帯電部材に供給される交流電流を調整する請求項２記載の帯電制御装置。
【請求項４】
前記蓄電部は、コンデンサを有し、前記電流漏洩部は、抵抗器を有する請求項２又は３記載の帯電制御装置。
【請求項５】
前記電流漏洩部は、前記直流電流検出部が検出する直流電流の変動が交流電流の１周期の間に１％以下となるように、電流を漏洩させる請求項２乃至４いずれか記載の帯電制御装置。
【請求項６】
被帯電体に接触又は近接して被帯電体を帯電させる帯電部材と、この帯電部材に対して供給される直流電圧と交流電流又は交流電圧とを重畳して流れる電流を蓄積する蓄電部と、この蓄電部の両端間で電流を漏洩させる電流漏洩部と、前記帯電部材に対して供給される直流電流を検出する直流電流検出部と、この直流電流検出部による検出結果及び前記蓄電部による蓄積結果を標本化する標本化部と、この標本化部による標本値に応じて前記帯電部材に供給される交流電流を調整する交流電流調整手段とを有し、前記電流漏洩部は、前記直流電流検出部による検出結果及び前記蓄電部による蓄積結果に対応する値が前記標本化部の標本化可能範囲内で変化するように電流を漏洩させる帯電装置。
【請求項７】
前記蓄電部が蓄積した電流に基づいて、前記電流漏洩部が漏洩させた電流量を演算により復元する復元部をさらに有し、前記交流電流調整手段は、前記復元部が復元した電流量に応じて帯電部材に供給される交流電流を調整する請求項６記載の帯電装置。
【請求項８】
前記蓄電部は、コンデンサを有し、前記電流漏洩部は、抵抗器を有する請求項６又は７記載の帯電装置。
【請求項９】
前記電流漏洩部は、前記直流電流検出部が検出する直流電流の変動が交流電流の１周期の間に１％以下となるように、電流を漏洩させる請求項６乃至８いずれか記載の帯電装置。
【請求項１０】
像保持体と、この像保持体を帯電させる帯電部材と、この帯電部材に対して直流電圧と交流電流又は交流電圧とを重畳して流れる電流を供給する給電部と、この給電部が供給する電流を蓄積する蓄電部と、この蓄電部の両端間で電流を漏洩させる電流漏洩部と、前記帯電部材に対して供給される直流電流を検出する直流電流検出部と、この直流電流検出部による検出結果及び前記蓄電部による蓄積結果を標本化する標本化部と、この標本化部による標本値に応じて前記帯電部材に供給される交流電流を調整する交流電流調整手段とを有し、前記電流漏洩部は、前記直流電流検出部による検出結果及び前記蓄電部による蓄積結果に対応する値が前記標本化部の標本化可能範囲内で変化するように電流を漏洩させる画像形成装置。
【請求項１１】
前記蓄電部が蓄積した電流に基づいて、前記電流漏洩部が漏洩させた電流量を演算により復元する復元部をさらに有し、前記交流電流調整手段は、前記復元部が復元した電流量に応じて帯電部材に供給される交流電流を調整する請求項１０記載の画像形成装置。
【請求項１２】
前記蓄電部は、コンデンサを有し、前記電流漏洩部は、抵抗器を有する請求項１０又は１１記載の画像形成装置。
【請求項１３】
前記電流漏洩部は、前記直流電流検出部が検出する直流電流の変動が交流電流の１周期の間に１％以下となるように、電流を漏洩させる請求項１０乃至１２いずれか記載の画像形成装置。
【発明の詳細な説明】
【技術分野】
【０００１】
本発明は、帯電状態検知装置、帯電制御装置、帯電装置及び画像形成装置に関するものである。
【背景技術】
【０００２】
特許文献１は、放電電流が発生しているときの電流波形全体の積分値と、電流波形のピーク値と印加電圧の波形から求められる電流波形の積分値との差分を一定値に維持するように、出力交流電圧のピーク間電圧を変化させる画像形成装置を開示する。また、特許文献２は、交流電流が印加される際に帯電部材に流れる電流を検出し、検出した電流と同一周波数の繰り返し波形との差を演算して、演算結果と基準値との比較結果に応じて高圧電源の出力を制御する画像形成装置を開示する。
【０００３】
【特許文献１】特開２００１−２０１９１９号公報
【特許文献２】特開２００２−７２６３４号公報
【発明の開示】
【発明が解決しようとする課題】
【０００４】
接触帯電で放電電荷量を検知することは帯電制御において重要である。
しかしながら、上記従来例においては、電流値をデジタル化して積分しようとすると、電流値を高速でサンプリングする必要があり、電流をコンデンサに蓄積することによって積分しようとすると、帯電電流の直流成分によりコンデンサの電位が時間に比例して増大するのでリセットする必要がある。つまり、電流値をデジタル回路で積分しても、アナログ回路で積分しても制御が複雑になってしまうという問題があった。
【０００５】
例えば、放電電荷量を検知するのにＡＣ電流一周期または半周期にわたり求める方法があるが、接触帯電では有機感光体を用いた場合には感光体表面を−６００Ｖ〜−１０００Ｖに帯電させるため直流電流が流れるので電流をコンデンサで積分すると電位が時間と共に上昇し積分結果をデジタル化するためのＡ／Ｄ変換器の入力ダイナミックレンジを越えてしまうのでＡＣ周波数で毎周期リセットをしなければならず、また１周期または半周期を連続して繰り返し積分しようとするとリセット期間の誤差を避けるために積分器を二つも受けて交互に積分しなければならず回路が複雑になる。
【０００６】
本発明は、被帯電体を帯電させる帯電部材に供給される帯電電流を容易に検出することができる帯電状態検知装置、帯電制御装置、帯電装置及び画像形成装置を提供することを目的とする。
【課題を解決するための手段】
【０００７】
上記目的を達成するため、請求項１に係る本発明は、被帯電体に接触又は近接して被帯電体を帯電させる帯電部材に対して供給される直流電圧と交流電流又は交流電圧とを重畳して流れる電流を蓄積する蓄電部と、この蓄電部の両端間で電流を漏洩させる電流漏洩部と、前記蓄電部が蓄積した電流に基づいて、前記電流漏洩部が漏洩させた電流量を演算により復元する復元部とを有する帯電状態検知装置である。
【０００８】
請求項２に係る本発明は、被帯電体に接触又は近接して被帯電体を帯電させる帯電部材に対して供給される直流電圧と交流電流又は交流電圧とを重畳して流れる電流を蓄積する蓄電部と、この蓄電部の両端間で電流を漏洩させる電流漏洩部と、帯電部材に対して供給される直流電流を検出する直流電流検出部と、この直流電流検出部による検出結果及び前記蓄電部による蓄積結果を標本化する標本化部と、この標本化部による標本値に応じて帯電部材に供給される交流電流を調整する交流電流調整手段とを有し、前記電流漏洩部は、前記直流電流検出部による検出結果及び前記蓄電部による蓄積結果に対応する値が前記標本化部の標本化可能範囲内で変化するように電流を漏洩させる帯電制御装置である。
【０００９】
請求項３に係る本発明は、前記蓄電部が蓄積した電流に基づいて、前記電流漏洩部が漏洩させた電流量を演算により復元する復元部をさらに有し、前記交流電流調整手段は、前記復元部が復元した電流量に応じて帯電部材に供給される交流電流を調整する請求項２記載の帯電制御装置である。
【００１０】
請求項４に係る本発明は、前記蓄電部は、コンデンサを有し、前記電流漏洩部は、抵抗器を有する請求項２又は３記載の帯電制御装置である。
【００１１】
請求項５に係る本発明は、前記電流漏洩部は、前記直流電流検出部が検出する直流電流の変動が交流電流の１周期の間に１％以下となるように、電流を漏洩させる請求項２乃至４いずれか記載の帯電制御装置である。
【００１２】
請求項６に係る本発明は、被帯電体に接触又は近接して被帯電体を帯電させる帯電部材と、この帯電部材に対して供給される直流電圧と交流電流又は交流電圧とを重畳して流れる電流を蓄積する蓄電部と、この蓄電部の両端間で電流を漏洩させる電流漏洩部と、前記帯電部材に対して供給される直流電流を検出する直流電流検出部と、この直流電流検出部による検出結果及び前記蓄電部による蓄積結果を標本化する標本化部と、この標本化部による標本値に応じて前記帯電部材に供給される交流電流を調整する交流電流調整手段とを有し、前記電流漏洩部は、前記直流電流検出部による検出結果及び前記蓄電部による蓄積結果に対応する値が前記標本化部の標本化可能範囲内で変化するように電流を漏洩させる帯電装置である。
【００１３】
請求項７に係る本発明は、前記蓄電部が蓄積した電流に基づいて、前記電流漏洩部が漏洩させた電流量を演算により復元する復元部をさらに有し、前記交流電流調整手段は、前記復元部が復元した電流量に応じて帯電部材に供給される交流電流を調整する請求項６記載の帯電装置である。
【００１４】
請求項８に係る本発明は、前記蓄電部は、コンデンサを有し、前記電流漏洩部は、抵抗器を有する請求項６又は７記載の帯電装置である。
【００１５】
請求項９に係る本発明は、前記電流漏洩部は、前記直流電流検出部が検出する直流電流の変動が交流電流の１周期の間に１％以下となるように、電流を漏洩させる請求項６乃至８いずれか記載の帯電装置である。
【００１６】
請求項１０に係る本発明は、像保持体と、この像保持体を帯電させる帯電部材と、この帯電部材に対して直流電圧と交流電流又は交流電圧とを重畳して流れる電流を供給する給電部と、この給電部が供給する電流を蓄積する蓄電部と、この蓄電部の両端間で電流を漏洩させる電流漏洩部と、前記帯電部材に対して供給される直流電流を検出する直流電流検出部と、この直流電流検出部による検出結果及び前記蓄電部による蓄積結果を標本化する標本化部と、この標本化部による標本値に応じて前記帯電部材に供給される交流電流を調整する交流電流調整手段とを有し、前記電流漏洩部は、前記直流電流検出部による検出結果及び前記蓄電部による蓄積結果に対応する値が前記標本化部の標本化可能範囲内で変化するように電流を漏洩させる画像形成装置である。
【００１７】
請求項１１に係る本発明は、前記蓄電部が蓄積した電流に基づいて、前記電流漏洩部が漏洩させた電流量を演算により復元する復元部をさらに有し、前記交流電流調整手段は、前記復元部が復元した電流量に応じて帯電部材に供給される交流電流を調整する請求項１０記載の画像形成装置である。
【００１８】
請求項１２に係る本発明は、前記蓄電部は、コンデンサを有し、前記電流漏洩部は、抵抗器を有する請求項１０又は１１記載の画像形成装置である。
【００１９】
請求項１３に係る本発明は、前記電流漏洩部は、前記直流電流検出部が検出する直流電流の変動が交流電流の１周期の間に１％以下となるように、電流を漏洩させる請求項１０乃至１２いずれか記載の画像形成装置である。
【発明の効果】
【００２０】
本発明によれば、被帯電体を帯電させる帯電部材に供給される帯電電流を容易に検出することができる。
【発明を実施するための最良の形態】
【００２１】
次に本発明の実施形態を図面に基づいて説明する。
図１及び図２において、本発明の実施形態に係る画像形成装置１０の概要が示されている。画像形成装置１０は、画像形成部１２と、原稿読取装置１４とを有する。画像形成部１２は、例えばゼログラフィ方式のもので、シートが積載された例えば４段の給紙トレイ１６ａ，１６ｂ，１６ｃ，１６ｄ及び手差しトレイ１８とを有し、これらトレイ１６ａ〜１６ｄ、１８からシート搬送路２０に供給されたシートに画像を形成するようになっている。
【００２２】
即ち、画像形成部１２は、感光体からなる像保持体２２と、この像保持体２２を一様に接触帯電する例えば帯電ロールからなる帯電部材２４と、この帯電部材２４により一様に帯電された像保持体２２に潜像を形成する露光装置２６と、この露光装置２６により形成された像保持体２２上の潜像をトナーで可視化する現像器２８と、この現像器２８により形成されたトナー像をシートに転写する転写装置３０と、像保持体２２に残ったトナーをクリーニングするクリーナ３２とを有する。
【００２３】
帯電部材２４は、例えばゴムなどの弾性を有する部材からなる。露光装置２６は、レーザ走査方式のもので、例えば原稿読取装置１４で読み取った原稿の画像をレーザのオンオフ信号に変えて出力する。転写装置３０は例えば転写ロールから構成され、この転写装置３０によりトナー像が転写されたシートが定着装置３４に送られ、この定着装置３４によりトナー像がシートに定着され、このトナー像が定着されたシートが排出トレイ３６に排出される。
【００２４】
シート搬送路２０には、複数のシート搬送ロール３８が設けられている。このシート搬送ロール３８の一つとして、転写装置３０上流側近傍には、レジストロール４０が配置されている。このレジストロール４０は、供給されたシートを一時停止させ、像保持体２２に潜像が形成されるタイミングと同期してシートを転写装置３０に供給するように制御される。
【００２５】
原稿読取装置１４は、原稿を光学的に読み取る光学系４２と、自動原稿送り装置４４とを有する。
光学系４２は、自動原稿送り装置４４により送られた原稿を流し読みする機能と、反射ミラー等を走査して原稿台ガラス５４上に載置された原稿を読み取る機能とを備えている。
【００２６】
自動原稿送り装置４４は、多数の原稿が載置される原稿載置台５６と、原稿を搬送する原稿搬送路５８と、画像を読み取った後の原稿が排出される排出台６０とを有する。
【００２７】
また、画像形成装置１０は、制御ユット６２、表示装置及びキーボードなどを含むユーザインタフェース装置（ＵＩ装置）６４、ＨＤＤ・ＣＤ装置などの記憶装置６６及び通信装置６８などを有する。制御ユニット６２は、ＣＰＵ７０及びメモリ７２などを含み、画像形成装置１０を構成する各部を制御する。
つまり、画像形成装置１０は、コンピュータとしての機能を含み、記憶媒体７４又は通信装置６８を介して受け入れたプログラムを実行することにより、印刷などの処理を行う。
【００２８】
次に、帯電部材２４に高電圧を印加する高圧給電部８０と、この高圧給電部８０が帯電部材２４に供給する帯電電流を制御する帯電制御装置８４とについて詳述する。
図３において、帯電部材２４、高圧給電部８０、電流検出部８２、帯電制御装置８４及びその周辺の詳細が示されている。
高圧給電部８０は、交流電源８６及び直流電源８８を有し、帯電部材２４に対して所定の直流電圧Ｖｄｃに交流電圧Ｖａｃ又は交流電流Ｉａｃを重畳し帯電部材２４に供給する。例えば、交流電源８６は、１０００Ｈｚの周波数でピーク間電圧Ｖｐｐが１０００〜２５００Ｖ程度の電圧を帯電部材２４に対して印加し、約１〜２ｍＡ程度の交流電流Ｉａｃを後述する交流電流調整部１００から入力される交流電流量調整信号に応じて帯電部材２４に供給するようにされている。つまり、交流電源８６は、帯電部材２４に供給する交流電流Ｉａｃの大きさが交流電流調整部１００によって制御される。
【００２９】
電流検出部８２は、高圧給電部８０が帯電部材２４に流れる電流（帯電電流）を検出し、帯電制御装置８４に対して出力する。例えば、電流検出部８２は、帯電制御装置８４に対して定電流を帯電電流として出力するようにされてもよい。
【００３０】
帯電制御装置８４は、例えば蓄電部９０、電流漏洩部９２、直流電流検出部９４、標本化（サンプリング）部９６、演算部９８及び交流電流調整部１００を有し、制御ユニット６２の一部を構成する。
蓄電部９０は、例えばコンデンサからなり、電流検出部８２が出力する帯電電流（電荷）を受け入れて蓄積し、標本化部９６に対するローパスフィルタとして機能し、端子電圧が標本化部９６によって標本化されるようになっている。つまり、蓄電部９０は、電流検出部８２が出力する帯電電流を積分している。
【００３１】
また、蓄電部９０には、両端間で電流を漏洩させる電流漏洩部（リーク回路）９２が設けられている。電流漏洩部９２は、例えば抵抗器からなり、蓄電部９０の端子電圧（積分出力Ｖｏｕｔ）の１周期の振幅範囲の変動（シフト）が所定値（例えば直流電流の１％）以下になるように電流を漏洩させる。例えば、蓄電部９０と電流漏洩部９２との時定数は、積分出力Ｖｏｕｔの１周期の約１００倍に設定される。
【００３２】
図４は、蓄電部９０及び電流漏洩部９２の構成例を示す回路図である。
図５は、蓄電部９０の端子電圧（積分出力Ｖｏｕｔ）の１周期の振幅範囲の変動（シフト）が所定値以下になるように、電流漏洩部９２が電流を漏洩させた結果を示すグラフである。
図６は、図５に示した結果に対する蓄電部の端子電圧の１周期の振幅範囲の変動（シフト）の比較例を示すグラフである。
図４に示すように、蓄電部９０は例えば一端ｂ側が接地されたコンデンサであり、電流漏洩部９２は蓄電部９０の両端ａｂ間で電流を漏洩させる抵抗器である。蓄電部９０の一端ａ側には、電流検出部８２より帯電電流Ｉｉｎが例えば１０００Ｈｚの周波数で供給される。また、蓄電部９０は、一端ａが標本化部９６に接続されており、標本化部９６が蓄電部９０の端子電圧を帯電電流に対する積分出力Ｖｏｕｔとして受け入れることができるようにされている。
【００３３】
図５に示すように、蓄電部９０に対して交流成分を含む帯電電流Ｉｉｎが入力された場合、蓄電部９０の端子電圧（積分出力Ｖｏｕｔ）が所定の電圧範囲内で振幅するように、電流漏洩部９２は帯電電流Ｉｉｎを蓄電部９０の両端ａｂ間で漏洩させる。例えば電流漏洩部９２は、直流電流検出部９４の検出結果及び積分出力Ｖｏｕｔに対応する値が後述するＡ／Ｄ変換器１０２の入力電圧範囲（標本化可能範囲：例えば約１Ｖ〜約５Ｖ）内で変化するように帯電電流Ｉｉｎを漏洩させる。
【００３４】
一方、比較例として、例えば電流漏洩部９２が設けられていない場合、又は電流漏洩部９２の抵抗値が大きすぎる場合には、蓄電部９０に蓄積される電荷が放電されず、図６に示すように、蓄電部９０に入力される帯電電流Ｉｉｎに対し、蓄電部９０の端子電圧（積分出力Ｖｏｕｔ）の１周期の振幅範囲がＧＮＤ（グランド）側にシフトしていく。このように、積分出力Ｖｏｕｔの振幅範囲がＧＮＤ側にシフトすると、後述するＡ／Ｄ変換器１０２の入力電圧範囲（約１Ｖ〜約５Ｖ）よりも積分出力Ｖｏｕｔの値が小さくなり、Ａ／Ｄ変換器１０２が積分出力Ｖｏｕｔの値を正確に変換できなくなる。
【００３５】
直流電流検出部９４（図３）は、電流検出部８２が出力する帯電電流を受け入れ、帯電電流に含まれる直流電流を検出し、標本化部９６に対して出力する。
【００３６】
標本化部９６は、Ａ／Ｄ変換器１０２及びタイミング制御部１０４を含み、蓄電部９０の端子電圧と直流電流検出部９４が出力する直流電流とを受け入れ、タイミング制御部１０４が制御するタイミングに応じてＡ／Ｄ変換器１０２がＡ／Ｄ変換し、Ａ／Ｄ変換した結果（標本値）を演算部９８に対して出力する。ここで、Ａ／Ｄ変換器１０２は、例えば、５Ｖ単電源のＡ／Ｄ変換器であり、約１Ｖ〜約５Ｖの間を入力電圧範囲とし、入力電圧範囲に対して８ビットの分解能を有する。タイミング制御部１０４は、帯電電流の位相に対して所定のタイミングでＡ／Ｄ変換器１０２が１回Ａ／Ｄ変換を行うように、Ａ／Ｄ変換器１０２の動作タイミングを制御する。
【００３７】
演算部９８は、復元部９９を有し、蓄電部９０の端子電圧及び直流電流検出部９４が出力する直流電流の標本値を標本化部９６から受け入れ、受け入れた標本値に対し、図示しないメモリに記憶された電流漏洩部９２の抵抗値を用いて復元部９９が電流漏洩部９２によるリーク電流量を演算により復元して、帯電部材２４の帯電電荷量、及び帯電部材２４と像保持体２２との間で生じる放電電流に対応する放電電荷量などをリーク電流量を補って算出し、算出結果を交流電流調整部１００に対して出力する。
【００３８】
交流電流調整部１００は、演算部９８から入力される帯電電荷量及び放電電荷量の算出結果に応じて、交流電源８６が出力する交流電流Ｉａｃの振幅を制御する。
【００３９】
このように、制御ユット６２は、帯電電流をコンデンサなどの蓄電部９０に蓄電して電流の積分を行ないながら蓄電部９０の端子間に抵抗などの電流漏洩部９２を接続して端子電圧に比例した漏洩電流を流す。これにより蓄電部９０の端子電圧が時間と共に上昇することが避けられる。電流漏洩部９２による電流漏洩量は、蓄電部９０の端子電圧に比例した電流量を蓄電部９０による積分結果に加えることで補償することができる。
【００４０】
制御ユット６２は、標本化部９６を含まず、演算部９８がアナログ演算によって帯電部材２４の帯電電荷量、及び帯電部材２４と像保持体２２との間で生じる放電電流に対応する放電電荷量などをリーク電流量を補って算出するように構成されてもよい。
【００４１】
また、制御ユニット６２は、蓄電部９０に替えて、オペアンプなどを含む積分器（信号処理部）を有するように構成されてもよい。電流漏洩部９２は、直流電流検出部９４による検出結果及び蓄電部９０による蓄積結果に対応する値が、蓄電部９０に替わる積分器（信号処理部）の出力可能範囲内で変化するように電流を漏洩させるように構成されてもよい。
【００４２】
また、上記実施形態においては、直流電流検出部９４を電流検出部８２と標本化部９６との間に設け、蓄電部９０のコンデンサと電流漏洩部９２の抵抗からなる時定数が印加する交流電圧の周期の１／１００となるようにしサンプリング回数を最小限にしながら直流電流の検出精度の向上を図っているが、蓄電部９０の端子電圧のサンプリング回数を増やすことができれば、直流電流検出部９４での直流電流検知結果が無くとも精度の低下は防止可能である。
【図面の簡単な説明】
【００４３】
【図１】本発明の実施形態に係る画像形成装置の概要を示す側面図である。
【図２】本発明の実施形態に係る画像形成装置の概要を示す構成図である。
【図３】帯電部材、高圧給電部、電流検出部、帯電制御装置及びその周辺の詳細を示す構成図である。
【図４】蓄電部及び電流漏洩部の構成例を示す回路図である。
【図５】蓄電部の端子電圧（積分出力Ｖｏｕｔ）の１周期の振幅範囲の変動（シフト）が所定値以下になるように、電流漏洩部が電流を漏洩させた結果を示すグラフである。
【図６】図５に示した結果に対する蓄電部の端子電圧の１周期の振幅範囲の変動（シフト）の比較例を示すグラフである。
【符号の説明】
【００４４】
１０    画像形成装置
２２    像保持体
２４    帯電部材
６２    制御ユニット
８０    高圧給電部
８２    電流検出部
８４    帯電制御装置
８６    交流電源
９０    蓄電部
９２    電流漏洩部
９４    直流電流検出部
９６    標本化部
９８    演算部
９９    復元部
１００    交流電流調整部
１０２    Ａ／Ｄ変換器
１０４    タイミング制御部
【図１】
2008209834.tif 000003
【図２】
2008209834.tif 000004
【図３】
2008209834.tif 000005
【図４】
2008209834.tif 000006
【図５】
2008209834.tif 000007
【図６】
2008209834.tif 000008